(57)【特許請求の範囲】
【請求項１】
フィルム原稿に記録された画像を光電的に読み取る読取手段と、
前記読取手段から出力された画像データをＡ／Ｄ変換してデジタル画像データとするＡ／Ｄ変換手段と、
前記Ａ／Ｄ変換手段から出力されたデジタル画像データを、第１色空間の画像データに変換する第１画像処理手段と、
前記第１色空間における画像データの画像に対する色／濃度調整を入力指示される色／濃度調整指示手段と、
前記色／濃度調整指示手段によって入力された色／濃度調整の指示に基づき、前記第１色空間における画像データを補正する第２画像処理手段と、
前記第１画像処理手段または第２画像処理手段で処理された第１色空間の画像データを、プリントもしくはモニタに再現される可視像の画像再現域を定義する第２色空間の画像データに変換する第３画像処理手段とを有し、
かつ、前記第１色空間は、前記第２色空間よりも画像再現域が広いことを特徴とする画像処理装置。
【請求項２】
前記第１色空間が、フィルム原稿の画像再現域を定義する空間である請求項１に記載の画像処理装置。
【請求項３】
前記第１画像処理手段は、前記Ａ／Ｄ変換手段から出力されたデジタル画像データをｌｏｇ変換することにより、前記第１色空間の画像データに変換する請求項１または２に記載の画像処理装置。
【請求項４】
フィルム原稿に記録された画像を光電的に読み取る読取手段と、
前記読取手段から出力された画像データをＡ／Ｄ変換してデジタル画像データとするＡ／Ｄ変換手段と、
前記Ａ／Ｄ変換手段から出力されたデジタル画像データを、第１色空間の画像データに変換する第１画像処理手段と、
前記第１色空間において画像データの階調修正を行う階調修正手段と、
前記階調修正手段によって階調修正された第１色空間における画像データの画像に対する色／濃度調整を入力指示される色／濃度調整指示手段と、
前記色／濃度調整指示手段によって入力された色／濃度調整の指示に基づき、前記階調修正手段によって修正された第１色空間における画像データを補正する第２画像処理手段と、
前記階調修正手段または第２画像処理手段で処理された第１色空間の画像データを、プリンタもしくはモニタに再現される可視像の画像再現域を定義する第２色空間の画像データに変換する第３画像処理手段とを有し、
かつ、前記階調修正手段によって階調修正された前記第１色空間は、前記第２色空間よりも画像再現域が広いことを特徴とする画像処理装置。
【請求項５】
前記第１色空間が、フィルム原稿の画像再現域を定義する空間である請求項４に記載の画像処理装置。
【請求項６】
前記第１画像処理手段は、前記Ａ／Ｄ変換手段から出力されたデジタル画像データをｌｏｇ変換することにより、前記第１色空間の画像データに変換する請求項４または５に記載の画像処理装置。
【請求項７】
前記階調修正手段における処理条件は、画像解析に基いて自動的に設定される請求項４〜６のいずれかに記載の画像処理装置。
【発明の詳細な説明】
【０００１】
【発明の属する技術分野】
本発明は、フィルム原稿の画像を光電的に読み取り、この画像が再現された出力画像を得るための画像処理を行う、画像処理装置の技術分野に属する。
【０００２】
【従来の技術】
現在、ネガフィルム、リバーサルフィルム等の写真フィルム（以下、フィルムとする）に撮影された画像の感光材料（印画紙）への焼き付けは、フィルムの画像を感光材料に投影して感光材料を面露光する、いわゆる直接露光によって行われている。
【０００３】
これに対し、近年では、デジタル露光を利用する焼付装置、すなわち、フィルムに記録された画像を光電的に読み取って、読み取った画像をデジタル信号とした後、種々の画像処理を施して記録用の画像データとし、この画像データに応じて変調した記録光によって感光材料を走査露光して画像（潜像）を記録し、プリントとするデジタルフォトプリンタが実用化された。
【０００４】
デジタルフォトプリンタでは、フィルムを光電的に読み取り、信号処理によって色濃度補正が行われて露光条件が決定される。従って、露光時のオペレータによる露光条件の決定、さらにはフィルタや絞り等の調整が不要で、１画像当たりの露光にかかる時間は短時間であり、また、露光時間も画像サイズに応じて一定であるため、従来の面露光に比して迅速な焼き付を行うことができる。
しかも、複数画像の合成や画像分割等のプリント画像の編集や、色／濃度調整、輪郭強調等の各種の画像処理も自由に行うことができ、用途に応じて自由に処理したプリントを出力できる。また、プリントの画像は、画像データとして扱われるので、画像データをコンピュータ等に供給することができ、また、フロッピーディスク等の記録媒体に保存しておくこともできる。
さらに、デジタルフォトプリンタによれば、従来の直接露光によるプリントよりも、分解能、色／濃度再現性等の点で優れたプリントが出力可能である。
【０００５】
このようなデジタルフォトプリンタは、基本的に、フィルムに記録された画像を光電的に読み取るスキャナ（画像読取装置）、読み取った画像を画像処理して画像記録の露光条件を決定する画像処理（セットアップ）装置、および決定された露光条件に従って感光材料を走査露光して現像処理を施すプリンタ（画像記録装置）より構成される。
【０００６】
スキャナでは、光源から射出された読取光をフィルムに入射して、フィルムに撮影された画像を担持する投影光を得て、この投影光を結像レンズによってＣＣＤセンサ等のイメージセンサに結像して光電変換することにより画像を読み取り、必要に応じて各種の画像処理を施した後に、フィルムの画像データ（画像データ信号）として画像処理装置に送る。
画像処理装置は、スキャナで読み取られた画像データに所定の画像処理を施し、出力（画像記録）のための画像データ（露光条件）としてプリンタに送る。
プリンタでは、例えば、光ビーム走査露光を利用する装置であれば、画像処理装置から送られた画像データに応じて光ビームを変調して、この光ビームを主走査方向に偏向すると共に、主走査方向と直交する副走査方向に感光材料を搬送することにより、画像を担持する光ビームによって感光材料を露光（焼付け）して潜像を形成し、次いで、感光材料に応じた現像処理等を施して、フィルムに撮影された画像が再生されたプリント（写真）とする。
【０００７】
【発明が解決しようとする課題】
ところで、フィルムに撮影された画像は常に適正であるわけではなく、逆光シーンやストロボ撮影等では、露光不足（アンダー）や露光過剰（オーバー）の画像も多数存在する。
デジタルフォトプリンタにおいては、前述のように、画像処理装置において、スキャナで読み取られた画像データに所定の画像処理を施してプリンタによる出力のための画像データとするが、この際に、画像解析を行い、フィルムに撮影された画像に応じて、適正な出力画像が得られるような画像処理条件を設定して、所定の画像処理を施している。すなわち、画像（画像データ）の自動補正を行うことにより、フィルムに撮影された画像の状態によらず、安定して適正なプリントを出力することを可能にしている。
【０００８】
しかしながら、自動補正を行っても、必ずしも適正な画像が出力できる訳ではなく、時折、不適性なプリントが出力されてしまう場合もある。そのため、必要に応じて、オペレータによる検定および画像の色／濃度調整が行われる。
ところが、デジタルフォトプリンタでは、オペレータが色／濃度調整を行った場合に、その調整が適正であるにも関わらず、不適性なプリントが出力されてしまう場合がある。
【０００９】
本発明の目的は、前記従来技術の問題点を解決することにあり、フィルムに記録された画像を光電的に読み取り、プリントやディスプレイに再現された可視像を得るに際し、フィルムの画像濃度の領域でオペレータによる色／濃度調整を行った後に、プリントにおける画像の色／濃度の領域に変換するので、フィルムに撮影されたハイライトやシャドー部近傍の画像が不要に捨てられる（つぶされる）ことがなく、調整に応じた高画質な画像を安定して再現することができる画像処理装置を提供することにある。
【００１０】
【課題を解決するための手段】
前記目的を達成するために、本発明者は検討を重ね、以下の知見を得た。
ネガフィルム等のフィルムに撮影可能な画像の濃度領域と、プリントに再現可能な濃度領域とを比較すると、フィルムの濃度領域の方が広い。
そのため、画像処理（自動補正）においては、画像データをプリンタによる出力に対応したものにするために、スキャナによって読み取られた画像データから有効な色／濃度領域を抽出して、画像データをフィルムの濃度領域からプリントの濃度領域に変換する。
この変換は、例えば図５に示されるように、濃度ヒストグラムを作成し、濃度ヒストグラムから、平均濃度、最大濃度、最小濃度等の画像特徴量を算出して、プリントに再現するハイライト（白色＝Ｄmin ）およびシャドー（黒色＝Ｄmax ）決定し、両者の間を規格化、例えば、出力の画像データが８bit であれば、ハイライトを画像データ２５５、シャドーを画像データ０として、両者の間を割り振って２５６階調に規格化して、フィルムの画像データを出力用の画像データに変換する階調変換ＬＵＴを作成し、フィルムの画像データをこの階調変換ＬＵＴで処理することによって行われる。
すなわち、フィルムに撮影された画像のうち、斜線で示される、ハイライトを超える画像データおよびシャドー未満の画像データは捨てられる（画像がつぶれる）。
【００１１】
従来の装置では、オペレータによる色／濃度補正は、画像データをプリントの濃度領域に変換した後に行われる。
ここで、例えば、再現する画像の濃度を全体的に向上すれば、フィルムに撮影されたより明るい画像も再現できるはずである。ところが、先の変換によって、ハイライト以上の画像データは捨てられているため、オペレータによる色／濃度補正が行われても、この画像はつぶれたままで、再現することができず、画像の色／濃度バランス等が崩れてしまうことがある。
【００１２】
本発明は、前記知見を得てなされたものであり、本発明の第１の態様は、フィルム原稿に記録された画像を光電的に読み取る読取手段と、前記読取手段から出力された画像データをＡ／Ｄ変換してデジタル画像データとするＡ／Ｄ変換手段と、前記Ａ／Ｄ変換手段から出力されたデジタル画像データを、第１色空間の画像データに変換する第１画像処理手段と、前記第１色空間における画像データの画像に対する色／濃度調整を入力指示される色／濃度調整指示手段と、前記色／濃度調整指示手段によって入力された色／濃度調整の指示に基づき、前記第１色空間における画像データを補正する第２画像処理手段と、前記第１画像処理手段または第２画像処理手段で処理された第１色空間の画像データを、プリントもしくはモニタに再現される可視像の画像再現域を定義する第２色空間の画像データに変換する第３画像処理手段とを有し、かつ、前記第１色空間は、前記第２色空間よりも画像再現域が広いことを特徴とする画像処理装置を提供する。
【００１３】
また、本発明の第２の態様は、フィルム原稿に記録された画像を光電的に読み取る読取手段と、前記読取手段から出力された画像データをＡ／Ｄ変換してデジタル画像データとするＡ／Ｄ変換手段と、前記Ａ／Ｄ変換手段から出力されたデジタル画像データを、第１色空間の画像データに変換する第１画像処理手段と、前記第１色空間において画像データの階調修正を行う階調修正手段と、前記階調修正手段によって階調修正された第１色空間における画像データの画像に対する色／濃度調整を入力指示される色／濃度調整指示手段と、前記色／濃度調整指示手段によって入力された色／濃度調整の指示に基づき、前記階調修正手段によって修正された第１色空間における画像データを補正する第２画像処理手段と、前記階調修正手段または第２画像処理手段で処理された第１色空間の画像データを、プリンタもしくはモニタに再現される可視像の画像再現域を定義する第２色空間の画像データに変換する第３画像処理手段とを有し、かつ、前記階調修正手段によって階調修正された前記第１色空間は、前記第２色空間よりも画像再現域が広いことを特徴とする画像処理装置を提供する。
【００１４】
また、前記本発明の画像処理装置において、前記第１色空間が、フィルム原稿の画像再現域を定義する空間であるのが好ましい。
【００１６】
さらに、前記本発明の画像処理装置において、前記第１画像処理手段は、前記Ａ／Ｄ変換手段から出力されたデジタル画像データをｌｏｇ変換することにより、前記第１色空間の画像データに変換するのが好ましい。
【００１７】
また、前記本発明の第２の態様において、前記階調修正手段における処理条件は、画像解析に基いて自動的に設定されるのが好ましい。
【００１８】
【発明の実施の形態】
以下、本発明の画像処理装置について、添付の図面に示される好適実施例を基に詳細に説明する。
【００１９】
図１に、本発明の画像処理装置を利用するデジタルフォトプリンタの一例のブロック図が示される。
図１に示されるデジタルフォトプリンタ（以下、フォトプリンタ１０とする）は、基本的に、フィルムＦに撮影された画像を光電的に読み取るスキャナ（画像読取装置）１２と、読み取られた画像データ（画像情報）の画像処理および画像処理条件の設定や、フォトプリンタ１０全体の操作および制御等を行う画像処理装置１４と、画像処理装置１４で処理された画像データに応じて変調した光ビームで感光材料Ａを画像露光し、現像処理してプリントＰとして出力するプリンタ（画像記録装置）１６とを有して構成される。
また、画像処理装置１４には、様々な条件の入力（設定）、処理の選択や指示、色／濃度調整の指示等を入力するためのキーボード１８ａおよびマウス１８ｂを有する操作系１８と、スキャナ１２で読み取られた画像、各種の操作指示、様々な条件の設定／登録画面等を表示するディスプレイ２０が接続される。
【００２０】
スキャナ１２は、フィルムＦ等に撮影された画像を１コマずつ光電的に読み取る装置で、光源２２と、可変絞り２４と、画像をＲ（赤）、Ｇ（緑）およびＢ（青）の三原色に分解するためのＲ、ＧおよびＢの３枚の色フィルタを有し、回転して任意の色フィルタを光路に作用する色フィルタ板２６と、フィルムＦに入射する読取光をフィルムＦの面方向で均一にする拡散ボックス２８と、結像レンズユニット３２と、フィルムの１コマの画像を読み取るエリアセンサであるＣＣＤセンサ３４と、アンプ（増幅器）３６とを有して構成される。
なお、図示例のフォトプリンタ１０においては、新写真システム(Advanced Photo System）や１３５サイズのネガフィルム等のフィルムの種類やサイズ、ストリップスやスライド等のフィルムの形態、トリミング等の処理の種類等に応じて、スキャナ１２の本体に装着自在な専用のキャリアが用意されており、キャリアを交換することにより、各種のフィルムや処理に対応することができる。
【００２１】
このようなスキャナ１２においては、光源２２から射出され、可変絞り２４によって光量調整され、色フィルタ板２６を通過して色調整され、拡散ボックス２８で拡散された読取光がフィルムＦに入射して、透過することにより、フィルムＦに撮影されたこのコマの画像を担持する投影光を得る。
フィルムＦの投影光は、結像レンズユニット３２によってＣＣＤセンサ３４の受光面に結像され、ＣＣＤセンサ３４によって光電的に読み取られ、その出力信号がアンプ３６で増幅されて、画像処理装置１４に送られる。
ＣＣＤセンサ３４は、例えば、１３８０×９２０画素のエリアＣＣＤセンサである。また、図示例の装置では、ＣＣＤセンサ３４は半画素に対応する量だけ画素配列方向に二次元的に移動可能に構成されており、これにより、読取画素数を見掛け上で４倍まで増やすことができる。
【００２２】
スキャナ１２においては、このような画像読取を、色フィルタ板２６の各色フィルタを順次挿入して３回行うことにより、１コマの画像をＲ，ＧおよびＢの３原色に分解して読み取る。
ここで、フォトプリンタ１０においては、プリントＰを出力するための画像読み取り（本スキャン）に先立ち、可変絞り２４の絞り量やＣＣＤセンサ３４の蓄積時間等の読取条件や、画像処理条件等を決定するために、画像を低解像度で読み取るプレスキャンを行う。従って、１コマで、合計６回の画像読み取りが行われる。
【００２３】
前述のように、スキャナ１２からの出力信号（画像データ）は、画像処理装置１４に出力される。
図２のブロック図に示されるように、画像処理装置１４は、Ａ／Ｄ変換器３８、Ｌｏｇ変換器４０、プレスキャン（フレーム）メモリ４２、本スキャン（フレーム）メモリ４４、マニュアル補正部４６、自動補正部４８等を有する。図示例においては、Ｌｏｇ変換器４０が本発明の第１画像処理手段に、マニュアル補正部４６が本発明の第２画像処理手段に、自動補正部４８が本発明の第３画像処理に、それぞれ対応する。
なお、図２は、主に画像処理関連の部位を示すものであり、画像処理装置１４には、これ以外にも、フォトプリンタ１０全体の制御や管理を行うＣＰＵ、フォトプリンタ１０全体の作動等に必要な情報を記憶するメモリ、可変絞り２４の絞り値を決定する手段等が配置され、また、操作系１８やディスプレイ２０は、このＣＰＵ等（ＣＰＵバス）を介して各部位に接続される。
【００２４】
スキャナ１２から出力されたＲ，ＧおよびＢの各出力信号は、Ａ／Ｄ変換器３８でデジタルのデータとされ、Ｌｏｇ変換器４０でＬｏｇ変換されてフィルムＦの画像濃度を示す画像データとされて、プレスキャン画像データはプレスキャンメモリ４２に、本スキャン画像データは本スキャンメモリ４４に、それぞれ記憶（格納）される。
なお、Ａ／Ｄ変換器３８から両メモリに至る間で、必要に応じて、画像データに、ＤＣオフセット補正、暗時補正、シェーディング補正等の各種の補正を施してもよい。
【００２５】
プレスキャンメモリ４２に画像データが記憶されると、画像処理装置１４においては、図示しない条件設定手段が画像データを読み出し、濃度ヒストグラムを作成し、さらに、画像特徴量（平均濃度、最大／最小濃度等）を算出して、本スキャンの際の可変絞り２４の絞り値やＣＣＤセンサ３４の蓄積時間等を設定し、さらに、ディスプレイ２０にプレスキャンで読み取られた画像が表示される。
なお、ディスプレイ２０に表示される画像には、後述する自動補正部４８における画像処理に準じた画像処理が施されている。
【００２６】
オペレータは、ディスプレイ２０に表示された画像を見て、必要に応じて、操作系１８のキーボード１８ａやマウス１８ｂを用いて、色および／または濃度の調整を指示する。
【００２７】
色／濃度の調整が終了すると、オペレータが出力の指示を出す。
これにより、オペレータによる色および／または濃度の調整指示がマニュアル補正部４６に設定され、次いで、本スキャンメモリ４４から本スキャンの画像データがマニュアル補正部４６に送られ、オペレータによる色および／または濃度調整指示に応じて画像データが補正される。すなわち、オペレータによる色／濃度調整は、フィルムＦの画像の色／濃度の領域で行われる。
なお、マニュアル補正部４６における色／濃度調整は、例えば、オペレータの指示に応じた画像データの嵩上げもしくは低減等によって行われる。
【００２８】
マニュアル補正部４６における色／濃度調整が終了した画像データは、自動補正部４８に送られ、前記条件設定手段が作成した階調変換ＬＵＴによって処理されて、プリンタ１６による出力のための画像データに変換され、プリンタ１６に出力される。言い換えれば、画像データは、自動補正部４８において、フィルムＦに撮影された画像の色／濃度領域の画像データから、プリントＰに再現される画像の色／濃度領域の画像データに変換される。
従って、本発明においては、フィルムＦの画像濃度の領域でオペレータによる色／濃度調整を行った後に、プリントＰにおける画像の色／濃度の領域に変換するので、フィルムＦに撮影されたハイライトやシャドー部近傍の画像が不要に捨てられる（つぶされる）ことがなく、高画質な画像を安定して再現することができる。
なお、オペレータによる色／濃度調整が行われない場合には、マニュアル補正部４６による画像処理は行われず、あるいは、本スキャンメモリ４４から自動補正部４８に直接画像データが送られる。
【００２９】
また、自動補正部４８においては、必要に応じて、このような階調変換以外にも、電子変倍（拡大／縮小）、ダイナミックレンジの圧縮および／または伸張（画像データの処理による覆い焼き効果等の付与）、シャープネス処理（鮮鋭化処理）等の所定の画像処理が施されてもよい。
【００３０】
階調変換ＬＵＴの作成等を初めとする、自動補正部４８における各種の画像処理条件の設定は、マニュアル補正部４６における補正後の画像データを用いて設定されてもよく、あるいは、プレスキャンメモリ４２に記憶される画像データをオペレータによる色／濃度調整に応じて補正して、この補正されたプレスキャン画像データを用いて画像処理条件を設定してもよい。
また、各種の画像処理条件の設定方法は、公知の方法でよく、例えば、階調変換ＬＵＴであれば、前述の図５に示される方法等が例示される。
【００３１】
図３に、画像処理装置の別の例が示される。
図２に示される例においては、オペレータによる色／濃度調整を完全にフィルムＦの色／濃度領域で行ったが、図３に示される画像処理装置５０では、フィルムＦの画像の階調を修正した後にオペレータによる色／濃度調整を行い、その後に階調変換を行ってプリンタ１６による出力のための画像データに変換する。
なお、図３に示される画像処理装置５０においては、図２に示される画像処理装置１４と幾つかの部位が共通であるので、同じ部材には同じ符号を付し、以下の説明は主に異なる部分について行う。
【００３２】
図３に示される画像処理装置５０において、プレスキャンメモリ４２にプレスキャンの画像データが記憶されると、画像処理装置１４と同様に、条件設定手段が濃度ヒストグラムの作成や画像特徴量の算出等を行い、可変絞り２４の絞り値等が設定され、さらに、フィルムＦに撮影された画像の階調を修正するための階調修正ＬＵＴが作成され、プレスキャン階調修正部５２に設定される。
【００３３】
この階調修正ＬＵＴは、フィルムＦに撮影された画像から有効な色／濃度領域を抽出して階調修正を掛けるものであり、得られた画像データの色／濃度領域が、プリントＰに再現される画像の色／濃度領域より広くなるように作成される。図５を参照して説明すれば、プリントＰに再現されるハイライト（Ｄmin ）およびシャドー（Ｄmax ）の外側で、オペレータによる色／濃度の調整が行われても、必要な画像データが捨てられることがないように、プリントＰに再現される画像の色／濃度領域に対して十分な余裕を持って階調修正ＬＵＴが作成される。
なお、この余裕には特に限定はないが、好ましくは、プリントＰに再現されるハイライトおよびシャドーよりもフィルムの濃度Ｄで、０．１〜０．７程度外側になるように設定される。
【００３４】
プレスキャン階調修正部５２に階調修正ＬＵＴが設定されると、同じ階調修正ＬＵＴが本スキャン階調修正部５４にも設定され、また、この階調修正ＬＵＴによって処理されたプレスキャンの画像が、ディスプレイ２０に表示される。
なお、画像処理装置５０においては、プレスキャンの画像データから、電子変倍、ダイナミックレンジの圧縮および／または伸張、シャープネス処理等の処理条件も設定し、プレスキャン階調修正部５２および本スキャン階調修正部５４において、必要に応じてこれらの各種の画像処理を行ってもよい。
【００３５】
オペレータは、ディスプレイ２０に表示された画像を見て、必要に応じて、操作系１８のキーボード１８ａやマウス１８ｂを用いて、色および／または濃度の調整を指示する。
【００３６】
調整が終了すると、オペレータが出力の指示を出す。
これにより、オペレータによる色および／または濃度の調整指示が本発明の第２画像処理手段であるマニュアル補正部５６に設定される。次いで、本スキャンメモリ４４から本スキャンの画像データが本スキャン階調修正部５４に送られ、階調修正ＬＵＴによる処理等の所定の処理を施され、本スキャン階調修正部５４で処理された画像データは、マニュアル補正部５６に送られ、オペレータによる色および／または濃度調整に指示に応じた画像データの補正が施される。すなわち、前述の画像処理装置１４と同様に、オペレータによる色／濃度調整は、プリントＰの色／濃度の領域ではなく、フィルムＦの画像の色／濃度の領域で行われる。
なお、マニュアル補正部５６による色／濃度調整は、例えば、オペレータの指示に応じた階調修正ＬＵＴの補正や、画像データの加減算に相当する処理がＬＵＴ等で行われる。
【００３７】
マニュアル補正部５６における色／濃度調整が終了した画像データは、階調変換部５８において階調変換ＬＵＴによって処理されて、プリンタ１６による出力のための画像データに変換、すなわちプリントＰに再現される画像の色／濃度領域の画像データに変換され、プリンタ１６に出力される。なお、オペレータによる色／濃度調整が行われない場合には、マニュアル補正部５６による画像処理は行われず、あるいは、本スキャン階調修正部５４から階調変換部５８に直接画像データが送られる。すなわち、本例においては、この階調変換部５８が本発明における第３画像処理手段となる。
階調変換ＬＵＴの作成は、前述の図５に示される方法に準じて、マニュアル補正部５６における補正後の画像データを用いて行ってもよく、あるいは、プレスキャン階調修正部５２で処理されたプレスキャンの画像データを、さらに、オペレータによる色／濃度調整に応じて補正して、この補正されたプレスキャン画像データを用いて階調変換ＬＵＴを作成してもよい。
【００３８】
図４に、プリンタ１６の概略図が示される。
プリンタ１６は、ドライバ６０、露光部６２および現像部６４を有して構成されるものであり、画像処理装置１４（画像処理装置５０）から送られた画像データに応じて光ビームＬを例えばパルス幅変調し、感光材料Ａを露光する。
【００３９】
画像処理装置１４からの画像データは、ドライバ６０に送られる。
ドライバ６０は、画像処理装置１４（自動補正部４８）から送られた画像データを、記録画像（露光量）に応じたＡＯＭ６６のパルス幅変調の駆動信号に変換し、各ＡＯＭ６６を駆動する。
【００４０】
露光部６２は、光ビーム走査によって感光材料Ａを走査露光して、前記画像データの画像を感光材料Ａに記録するもので、図４に概念的に示されるように、感光材料Ａに形成されるＲ感光層の露光に対応する狭帯波長域の光ビームを射出する光源６８Ｒ、以下同様にＧ感光層の露光に対応する光源６８Ｇ、およびＢ感光層の露光に対応する光源６８Ｂの各光ビームの光源、各光源より射出された光ビームを、それぞれ記録画像に応じて変調するＡＯＭ６６Ｒ、６６Ｇおよび６６Ｂ、光偏向器としてのポリゴンミラー７０、ｆθレンズ７２と、感光材料Ａの副走査搬送手段を有する。
【００４１】
光源６８（６８Ｒ、６８Ｇ、６８Ｂ）より射出され、互いに相異なる角度で進行する各光ビームは、それぞれに対応するＡＯＭ６６（６６Ｒ、６６Ｇ、６６Ｂ）に入射する。各ＡＯＭ６６には、ドライバ６０より記録画像すなわち画像処理装置１４（自動補正部４８）から供給された画像データに応じた、Ｒ、ＧおよびＢそれぞれの駆動信号が転送されており、入射した光ビームを記録画像に応じて変調する。
【００４２】
ＡＯＭ６６によって変調された各光ビームは、ポリゴンミラー７０の略同一点に入射して反射され、主走査方向（図中矢印ｘ方向）に偏向され、次いでｆθレンズ７２によって所定の走査位置ｚに所定のビーム形状で結像するように調整され、感光材料Ａに入射する。なお、露光部６２には、必要に応じて光ビームの整形手段や面倒れ補正光学系が配置されていてもよい。
【００４３】
一方、感光材料Ａは長尺なものであり、ロール状に巻回されてマガジン化された状態で所定位置に装填されている。
このような感光材料Ａは引き出しローラ（図示省略）で引き出され、走査位置ｚを挟んで配置される副走査手段を構成する搬送ローラ対７４ａおよび７４ｂによって、走査位置ｚに保持されつつ主走査方向と直交する副走査方向（図中矢印ｙ方向）に搬送される。
光ビームは主走査方向に偏向されているので、副走査方向に搬送される感光材料Ａは光ビームによって全面を２次元的に走査露光され、感光材料Ａに、画像処理装置１４から転送された画像データの画像（潜像）が記録される。
【００４４】
露光を終了した感光材料Ａは、次いで搬送ローラ対７６によって現像部６４に搬入され、現像処理を施されプリントＰとされる。
ここで、例えば感光材料Ａが銀塩感光材料であれば、現像部６４は発色現像槽７８、漂白定着槽８０、水洗槽８２ａ、８２ｂ、８２ｃおよび８２ｄ、乾燥部およびカッタ（図示省略）等より構成され、感光材料Ａはそれぞれの処理槽において所定の処理を施され、乾燥された後、カッタによってプリント１枚に対応する所定長に切断され、プリントＰとして出力される。
【００４５】
以下、本発明の画像処理装置の作用の一例を、図示例のフォトプリンタ１０の作用と共に説明する。
フォトプリンタ１０においてプリントＰを作成する際には、オペレータは、原稿となるフィルムＦに応じたキャリアをスキャナ１２にセットし、また、マウス１８ｂ等を用いて、必要な指示を行う。
一方で、スキャナ１２の光源２２の光量等、フォトプリンタ１０が所定の状態にあることを確認されると、オペレータは、フィルムＦをスキャナ１２（キャリア）の所定位置にセットし、１コマ目が所定の読み取り位置に搬送される。
【００４６】
ここで読み取り開始の指示を出すと、スキャナ１２においては、まず、プレスキャンが開始される。
プレスキャンが開始されると、光源２２から射出された読取光が、可変絞り２４で光量調整され、光路Ｌに挿入された色フィルタ板２６のフィルタ、例えばＧフィルタで調光されて、フィルムＦの１コマ目に入射して透過し、このコマに撮影された画像（Ｇ画像）を担持する投影光が得られる。
この投影光は、結像レンズユニット３２によってＣＣＤセンサ３４の有効画素領域内に結像され、フィルムＦのＧ画像が読み取られ、アンプ３６で増幅されて画像処理装置１４に送られ、Ａ／Ｄ変換器３８でＡ／Ｄ変換され、Ｌｏｇ変換器４０で変換され、プレスキャンメモリ４２に記憶される。Ｇ画像の読み取りが終了すると、同様にして、例えば、Ｂ画像、続いてＲ画像が読み取られ、順次プレスキャンメモリ４２に格納されて、プレスキャンが終了する。
【００４７】
画像処理装置１４においては、条件設定装置がプレスキャンメモリ４２からプレスキャン画像データを読み出し、濃度ヒストグラムの作成、画像特徴量の算出等を行い、可変絞り２４の絞り値の算出および設定等を行うと共に、ディスプレイ２０にプレスキャン画像が表示される。
次いで、必要に応じてオペレータによる検定が行われ、操作系１８を用いて色および／または濃度の調整が指示される。
【００４８】
スキャナ１２では、可変絞り２４の調整等が終了すると、続けて、本スキャンが開始され、プレスキャンと同様に、フィルム原稿のＧ画像、Ｂ画像およびＲ画像が、順次読み取られて画像処理装置１４に送られ、本スキャンメモリ４４に格納される。
色／濃度調整が終了し、オペレータによって出力指示が出されると、オペレータが指示した色／濃度調整条件がマニュアル補正部４６に設定され、本スキャンメモリ４４に格納された画像データが読み出され、まず、マニュアル補正部４６において、画像データにオペレータの指示に応じた色／濃度調整が施される。
次いで、画像データは、フィルム画像の色／濃度領域の画像データのまま自動補正部４８に送られ、階調変換ＬＵＴによる処理を初めとして所定の画像処理が施され、プリンタ１６による画像記録に応じた出力用画像データ、すなわち、プリントＰに再現される画像の色／濃度領域の画像データに変換されて、プリンタ１６に出力される。
なお、１コマ目の読取（本スキャン）が終了すると、キャリアによってフィルムＦが１コマ分搬送され、次ぎのコマの画像が読み取られる。
【００４９】
プリンタ１６においては、マガジンから引き出された感光材料Ａを、副走査方向に搬送しつつ、画像処理装置１４から送られた画像データに応じて変調して主走査方向に偏向した光ビームで走査露光を行い、潜像を形成する。
露光された感光材料Ａは、現像部６４において、発色現像、漂白定着、水洗の各処理を順次施されて現像され、乾燥されて、プリント毎に切断されてプリントＰとされる。
なお、本発明に掛かるフォトプリンタ１０においては、オペレータによる色／濃度調整をフィルムの色／濃度領域で施しているので、ハイライトやシャドー部近傍の画像も好適に再現された、高画質が好適に再現されたプリントＰが出力される。
【００５０】
以上、本発明の画像処理装置について詳細に説明したが、本発明は上記実施例に限定はされず、本発明の要旨を逸脱しない範囲において、各種の改良および変更を行ってもよいのはもちろんである。
例えば、以上の説明は、本発明の画像処理装置をプリントに再現する画像の画像処理に用いる例であったが、ディスプレイに画像を出力する際にも、本発明の画像処理装置は好適に利用可能である。
【００５１】
【発明の効果】
以上、詳細に説明したように、本発明の画像処理装置によれば、フィルムに記録された画像を光電的に読み取り、プリントやディスプレイに再現された可視像を得るに際し、フィルムの画像濃度の領域でオペレータによる色／濃度調整を行った後に、プリントにおける画像の色／濃度の領域に変換するので、フィルムに撮影されたハイライトやシャドー部近傍の画像が不要に捨てられる（つぶされる）ことがなく、調整に応じた高画質な画像を安定して再現することができる。
【図面の簡単な説明】
【図１】本発明の画像処理装置を利用するデジタルフォトプリンタの一例のブロック図である。
【図２】図１に示されるデジタルフォトプリンタの画像処理装置の一例のブロック図である。
【図３】本発明の画像処理装置の別の例のブロック図である。
【図４】図１に示されるデジタルフォトプリンタのプリンタの一例の概略図である。
【図５】階調変換ＬＵＴを説明するための概念図である。
【符号の説明】
１０  （デジタル）フォトプリンタ
１２  スキャナ
１４，５０  画像処理装置
１６  プリンタ
１８  操作系
２０  ディスプレイ
２２  光源
２４  可変絞り
２６  色フィルタ板
２８  拡散ボックス
３２  結像レンズユニット
３４  ＣＣＤセンサ
３６  アンプ
３８  Ａ／Ｄ変換器
４０  ｌｏｇ変換器
４２  プレスキャンメモリ
４４  本スキャンメモリ
４６，５６  マニュアル補正部
４８  自動補正部
５２  プレスキャン階調修正部
５４  本スキャン階調修正部
５８  階調変換部
６０  ドライバ
６２  露光部
６４  現像部
【図１】
0003734581.tif 000002
【図２】
0003734581.tif 000003
【図３】
0003734581.tif 000004
【図４】
0003734581.tif 000005
【図５】
0003734581.tif 000006